(57)【要約】【課題】簡単且つ確実に袖口を折り返して袖長を短くすることができると共に、折り返した袖口の見栄えが良いシャツを提供する。【解決手段】袖口１の先端部に設けたカフス部３と、該カフス部３の内側縁部４に設けた第一ボタン８と該第一ボタン８に係合するように外側縁部６に設けた第一ボタンホール１１とからなる第一係合部と、前記カフス部３の上方端３ｃから上方に３ｃｍ以内の内側縁部５に設けた第二ボタン９と該第二ボタン９に係合するように外側縁部７に設けた第二ボタンホール１２とからなる第二係合部を備えている。【選択図】図１
0003124170.tif 000002
【実用新案登録請求の範囲】
【請求項１】
袖口の切り込み部分を、内側縁部に設けたボタンと外側縁部に設けたボタンホールを係合して閉じ合わせるようにしたシャツであって、袖口先端部に設けたカフス部と、該カフス部の内側縁部に設けた第一ボタンと該第一ボタンに係合するように外側縁部に設けた第一ボタンホールとからなる第一係合部と、前記カフス部の上方端から上方に３ｃｍ以内の内側縁部に設けた第二ボタンと該第二ボタンに係合するように外側縁部に設けた第二ボタンホールとからなる第二係合部を備えたシャツ。
【請求項２】
前記カフス部の内周面と外周面を同一の布地で形成した請求項１に記載のシャツ。
【請求項３】
前記カフス部をカフス部の上方端に沿って外側に折り返したときに、前記第一ボタンホールと係合する位置の内側縁部に第三ボタンを設けた請求項１又は２に記載のシャツ。
【請求項４】
前記第三ボタンと係合して袖口の切り込み部分を閉じ合わせる第三ボタンホールを外側縁部に設けた請求項３に記載のシャツ。
【請求項５】
前記カフス部の幅が６〜１０ｃｍである請求項１乃至４の何れかに記載のシャツ。
【請求項６】
前記シャツの下前に設けた複数の身頃ボタンの内、最上方の身頃ボタンを台襟下方端より下側に位置させた請求項１乃至５の何れかに記載のシャツ。
【請求項７】
前記最上方の身頃ボタンを台襟下方端から１〜３ｃｍ下方に位置させた請求項６に記載のシャツ。
【考案の詳細な説明】
【技術分野】
【０００１】
本考案は、クールビズに適したシャツに関する。
【背景技術】
【０００２】
ワイシャツ等の長袖シャツの袖口は、袖先から肘側に向けて切り込み部分を形成してあり、この切り込み部分の内側縁部に設けたボタンと外側縁部に設けたボタンホールを係合して、袖口の切り込み部分を閉じ合わせている。従来のシャツにおいて袖まくりするときは、袖口のボタンとボタンホールの係合を外して袖口を１〜２度折り返しているが、折り返した袖口を固定する手段が無いために、袖まくり状態が緩んで袖口が元の状態に戻り易いという問題があった。
【０００３】
この折り返した袖口を固定する手段を備えたシャツとして、切り込み部分の外側縁部の裏側にボタンホールを有するタブを縫着し、袖口を２度折り返した状態でタブのボタンホールと内側縁部のボタンを係合して閉じ合わせるようにしたシャツは知られている（例えば、特許文献１参照）。
【０００４】
【特許文献１】登録実用新案第３０８５９２６号公報
【考案の開示】
【考案が解決しようとする課題】
【０００５】
近年、クールビズが提唱されていることから、温度変化に対して衣服で調節することが望まれている。しかし、特許文献１に記載のシャツは、袖まくりしたときにシャツの裏地が表に現れるのみならず、袖口を二度折り返すことにより折り返した部分が膨らんで皺を生じやすいために、ビジネス用のシャツとしては見栄えが悪くなるという課題があった。また、袖口を伸ばして着用しているときには、切り込み部分の裏側に縫着したタブが肌に接触するために違和感が生じるという課題もあった。
【０００６】
そこで、本考案は、簡単且つ確実に袖口を折り返して袖長を短くすることができると共に、折り返した袖口の見栄えが良いシャツを提供するものである。
【課題を解決するための手段】
【０００７】
本考案は、上記課題を解決するために、袖口の切り込み部分を、内側縁部に設けたボタンと外側縁部に設けたボタンホールを係合して閉じ合わせるようにしたシャツであって、袖口先端部に設けたカフス部と、該カフス部の内側縁部に設けた第一ボタンと該第一ボタンに係合するように外側縁部に設けた第一ボタンホールとからなる第一係合部と、前記カフス部の上方端から上方に３ｃｍ以内の内側縁部に設けた第二ボタンと該第二ボタンに係合するように外側縁部に設けた第二ボタンホールとからなる第二係合部を備えたシャツを提供するものである。
【０００８】
また、本考案は、前記カフス部の内周面と外周面を同一の布地で形成した請求項１に記載のシャツを提供するものである。
【０００９】
また、本考案は、前記カフス部をカフス部の上方端に沿って外側に折り返したときに、前記第一ボタンホールと係合する位置の内側縁部に第三ボタンを設けた請求項１又は２に記載のシャツを提供するものである。
【００１０】
また、本考案は、前記第三ボタンと係合して袖口の切り込み部分を閉じ合わせる第三ボタンホールを外側縁部に設けた請求項３に記載のシャツを提供するものである。
【００１１】
また、本考案は、前記カフス部の幅が６〜１０ｃｍである請求項１乃至４の何れかに記載のシャツを提供するものである。
【００１２】
また、本考案は、前記シャツの下前に設けた複数の身頃ボタンの内、最上方の身頃ボタンを台襟下方端より下側に位置させた請求項１乃至５の何れかに記載のシャツを提供するものである。
【００１３】
また、本考案は、前記最上方の身頃ボタンを台襟下方端から１〜３ｃｍ下方に位置させた請求項６に記載のシャツを提供するものである。
【考案の効果】
【００１４】
本考案に係るシャツによれば、袖口の切り込み部分を、内側縁部に設けたボタンと外側縁部に設けたボタンホールを係合して閉じ合わせるようにしたシャツであって、袖口先端部に設けたカフス部と、該カフス部の内側縁部に設けた第一ボタンと該第一ボタンに係合するように外側縁部に設けた第一ボタンホールとからなる第一係合部と、前記カフス部の上方端から上方に３ｃｍ以内の内側縁部に設けた第二ボタンと該第二ボタンに係合するように外側縁部に設けた第二ボタンホールとからなる第二係合部を備えた構成を有することにより、第一ボタンと第一ボタンホールの係合を外してカフス部をカフス部の上方端に沿って外側に折り返すことによって簡単に袖長を短くすることができる。また、第二ボタンと第二ボタンホールの係合により折り返したカフス部の根元部分を固定することができ、カフス部の内側縁部と外側縁部が開いて元の状態に戻るのを阻止することができる。また、袖口を折り返したときにも袖先端部の表側にカフス部が現れるから、見栄えを良好に保つことができる効果がある。
【００１５】
また、本考案は、前記カフス部の内周面と外周面を同一の布地で形成した請求項１に記載の構成を有することにより、袖口を折り返したときにも外周面と同一の布地が表に表れるから、袖口の見栄えを維持した状態で袖長を短くすることができる効果がある。
【００１６】
また、本考案は、前記カフス部をカフス部の上方端に沿って外側に折り返したときに、前記第一ボタンホールと係合する位置の内側縁部に第三ボタンを設けた請求項１又は２に記載の構成を有することにより、折り返したカフス部を確実に固定することができる効果がある。
【００１７】
また、本考案は、前記第三ボタンと係合して袖口の切り込み部分を閉じ合わせる第三ボタンホールを外側縁部に設けた請求項３に記載の構成を有することにより、第三ボタンと第三ボタンホールを係合して袖口の切り込み部分を閉じ合わせることができる効果がある。
【００１８】
また、本考案は、前記カフス部の幅が６〜１０ｃｍである請求項１乃至４の何れかに記載の構成を有することにより、袖口先端部を袖の他の部分より細く形成することができると共に、カフス部を折り返したときに清涼感を得られる程度に袖長を短くすることができる効果がある。
【００１９】
また、本考案は、前記シャツの下前に設けた複数の身頃ボタンの内、最上方の身頃ボタンを台襟下方端より下側に位置させた請求項１乃至５の何れかに記載の構成を有することにより、台襟部を固定する身頃ボタンが無いからネクタイを結ぶときの障害にならないのみならず、ネクタイの締め付け具合を調節することによって簡単に首周りの開放感を得ることができる効果がある。
【００２０】
また、本考案は、前記最上方の身頃ボタンを台襟下方端から１〜３ｃｍ下方に位置させた請求項６に記載の構成を有することにより、ネクタイを外したときでも襟元がしまった状態を維持することができる効果がある。
【考案を実施するための最良の形態】
【００２１】
本考案の実施の形態を図示する実施例に基づいて説明する。
本考案に係るシャツ１００は、袖口１の先端部に設けたカフス部３と、該カフス部３の内側縁部４に設けた第一ボタン８と該第一ボタン８に係合するように外側縁部６に設けた第一ボタンホール１１とからなる第一係合部と、前記カフス部３の上方端３ｃから上方に３ｃｍ以内の内側縁部５に設けた第二ボタン９と該第二ボタン９に係合するように外側縁部７に設けた第二ボタンホール１２とからなる第二係合部を備えている。
【実施例１】
【００２２】
図１に示す実施例において、シャツ１００の袖口１は、袖先から上方（肘側）に向けて切り込み部分２を形成して、袖口１を折り返して袖まくりし易いようにしてある。切り込み部分２は、内側縁部４，５と外側縁部６，７を重ね合わせ、内側縁部４，５に設けたボタン８，９，１０と外側縁部６，７に設けたボタンホール１１，１２，１３を係合して、袖口１を閉じ合わせることができるようにしてある。
【００２３】
図１に示す実施例において、袖口１の先端部には、内周面３ａと外周面３ｂを同一の布地で形成したカフス部３を設けてある。カフス部３は、切り込み部分２の内側縁部４に第一ボタン８を設けると共に、切り込み部分２の外側縁部６に第一ボタンホール１１を設けてあり、第一ボタン８と第一ボタンホール１１を係合してカフス部３を閉じ合わせることができるようにしてある。
【００２４】
カフス部３の幅が１０ｃｍより長い場合には、上方端３ｃの腕の太さに対応してカフス部３の周長も長くなるために、袖先が広くなって着用感及び見た目が悪くなる。一方、カフス部３の幅が６ｃｍより短い場合には、カフス部３を折り返したときに袖長の変化が少なく、充分な清涼感を得ることができない。従って、カフス部３は、袖口先端部を細く形成することができ、カフス部３を折り返したときに充分な清涼感を得られる６〜１０ｃｍの幅に設けてあることが好ましい。
【００２５】
図１に示す実施例において、切り込み部分２には、カフス部３の上方端３ｃより上側の内側縁部５及び外側縁部７に剣ボロを形成してある。内側縁部５には、カフス部３の上方端３ｃからカフス部３を折り返すための折り返し代１４をおいて第二ボタン９を設けてある。また、外側縁部７には、第二ボタン９に係合するように対応する位置に第二ボタンホール１２を設けてある。
なお、第二ボタン９は、折り返したカフス部３の根元部分を固定することができるように、カフス部３の上方端３ｃから３ｃｍ以内の内側縁部５に設けてあることが好ましい。
【００２６】
また、内側縁部５には、カフス部３をカフス部３の上方端３ｃに沿って外側に折り返したときに、第一ボタンホール１１と係合する位置に第三ボタン１０を設けてある。更に、外側縁部７には、第三ボタン１０と係合して袖口１の切り込み部分２を閉じ合わせる第三ボタンホール１３を設けてある。
【００２７】
図４に示すように、シャツ１００は、下前２２に設けた複数の身頃ボタン２４，２５と上前２３に設けた複数の身頃ボタンホール２６，２７を係合して、下前２２と上前２３を閉じ合わせるようにしてある。最上方の身頃ボタン２４は、台襟２０の下方端２１より下側に位置させて、台襟２０を閉じ合わせないようにしてある。最上方の身頃ボタン２４は、ネクタイを外したときに襟元が緩まないように、台襟２０の下方端２１から１〜３ｃｍ下方に位置させてあることが好ましい。
【００２８】
次に、本考案に係るシャツの作用について説明する。
シャツ１００の袖口を折り返すときには、図２に示すように、第一ボタン８と第一ボタンホール１１の係合を外し、カフス部３を上方端３ｃに沿って外側に折り返す。このとき、第二ボタン９と第二ボタンホール１２の係合により、折り返したカフス部３の根元部分を固定することができ、カフス部３の内側縁部４と外側縁部６が開いて元の状態に戻るのを阻止することができる。
【００２９】
図３に示すように、折り返したカフス部３の第一ボタンホール１１を第三ボタン１０と係合させて、カフス部３を確実に折り返した状態で固定することができる。
図４は、シャツ１００の右腕側袖口のみ折り返した状態を示している。本考案に係るシャツは、上述のようにカフス部３を折り返すことにより簡単に袖長を短くすることができるのみならず、カフス部３を伸ばした左腕側袖口と同様の見栄えを維持することができる。
【図面の簡単な説明】
【００３０】
【図１】本考案シャツの袖口の一実施例を示す斜視図。
【図２】その一実施例の使用状態を示す斜視図。
【図３】その一実施例の使用状態を示す斜視図。
【図４】本考案シャツの一実施例を示す正面図。
【符号の説明】
【００３１】
１  袖口
２  切り込み部分
３  カフス部
３ａ  内周面
３ｂ  外周面
３ｃ  上方端
４，５  内側縁部
６，７  外側縁部
８〜１０  ボタン
１１〜１３  ボタンホール
１４  折り返し代
２０  台襟
２１  下方端
２２  下前
２３  上前
２４，２５  身頃ボタン
２６，２７  身頃ボタンホール
１００  シャツ
【図１】
0003124170.tif 000003
【図２】
0003124170.tif 000004
【図３】
0003124170.tif 000005
【図４】
0003124170.tif 000006